(57)【要約】【課題】ペットを収納体に入れて蓋体を閉じるときに、毛やヒゲなどを収納体と蓋体との間に挟まないようにすることが可能なペット用バッグを提供する。【解決手段】ペット用バッグは、ペットを出し入れする開口部１５に隣り合って保形性を有する収納体側嵌合部１９が設けられた収納体１と、収納体１の開口部１５を開閉する蓋体２と、蓋体２が開口部１５を閉じた状態を維持するように留める留め具（ファスナ）３と、を備えている。収納体１は、底部１１と、一対の襠部１２と、正面部１３と、背面部１４と、を備え、開口部１５が底部１１と対向する上面に設けられる。蓋体２は、閉じられたときに、開口部１５を塞ぐ本体部２１と、本体部２１から突出し、収納体側嵌合部１９に嵌り合う蓋体側嵌合部２２と、を有している。収納体側嵌合部１９は、一対の襠部１２と正面部１３と背面部１４の各上端部においてフレーム状に形成されている。【選択図】図７
2020096680.tif 000002
【特許請求の範囲】
【請求項１】
ペットを出し入れする開口部に隣り合って保形性を有する収納体側嵌合部が設けられた収納体と、
前記収納体の開口部を開閉する蓋体と、
前記蓋体が前記開口部を閉じた状態を維持するように留める留め具と、
を備え、
前記蓋体は、閉じられたときに、前記開口部を塞ぐ本体部と、当該本体部から突出し、前記収納体側嵌合部に嵌り合う蓋体側嵌合部と、を有している、
ペット用バッグ。
【請求項２】
前記収納体は、一端部に前記開口部を有する筒状の胴部と、当該胴部の他端部を塞ぐ底部と、を備えている、
請求項１に記載のペット用バッグ。
【請求項３】
前記底部は、ペットを載せる四角形状に形成され、
前記胴部は、前記底部の相対する一対の各縁に立設された一対の襠部と、一対の前記襠部の一方の各側縁間に架設された正面部と、一対の前記襠部の他方の各側縁間に架設された背面部とを備え、前記開口部が前記底部と対向する上面に設けられ、
前記収納体側嵌合部は、一対の前記襠部と前記正面部と前記背面部の各上端部においてフレーム状に形成されている、
請求項２に記載のペット用バッグ。
【請求項４】
前記収納体の前記背面部は、一対の前記襠部に下向きの張力が生じるように前記底部に対して鋭角に傾斜し、前記底部が水平姿勢となるように補強部材を備えている、
請求項３に記載のペット用バッグ。
【請求項５】
前記収納体の開口部側と底部側とに架け渡された肩ベルトを備えている、
請求項２乃至４のうちいずれか１項に記載のペット用バッグ。
【請求項６】
前記収納体は、ペットを載せる底部を備え、前記開口部が前記底部と隣り合う側面に設けられている、
請求項１に記載のペット用バッグ。
【請求項７】
前記留め具は、前記収納体の収納体側嵌合部の端縁近傍に設けられた収納体側のエレメント列と、前記蓋体の蓋体側嵌合部の端縁に設けられた蓋体側のエレメント列と、前記両エレメント列を噛み合わせて閉じたり離して開けたりするスライダと、を備えたファスナである、
請求項１乃至６のうちいずれか１項に記載のペット用バッグ。
【請求項８】
前記収納体側嵌合部は、着脱可能な保形材を備えている、
請求項１乃至７のうちいずれか１項に記載のペット用バッグ。
【請求項９】
ペットを出し入れする開口部を狭窄するような鍔状部が設けられた収納体と、
前記収納体の開口部を開閉する蓋体と、
前記蓋体が前記開口部を閉じた状態を維持するように留める留め具と、
を備え、
前記蓋体は、閉じられたときに、前記開口部を塞ぐ中程部と、当該中程部の外周で前記鍔状部に接離する外周部と、を有している、
ペット用バッグ。
【請求項１０】
前記留め具は、前記収納体の鍔状部の外周縁に設けられた収納体側のエレメント列と、前記蓋体の外周部の外周縁に設けられた蓋体側のエレメント列と、前記両エレメント列を噛み合わせて閉じたり離して開けたりするスライダと、を備えたファスナである、
請求項９に記載のペット用バッグ。
【発明の詳細な説明】
【技術分野】
【０００１】
本発明は、犬や猫などのペットを入れて携えるためのペット用バッグに関する。
【背景技術】
【０００２】
犬や猫などのペットを入れて携えるためのペット用バッグが種々提供されている。例えば、特許文献１には、袋部と、ネット部と、ファスナと、肩ベルトと、を備えたペット用バッグが記載されている。袋部は、ペットが入れられる大きさの有底円筒状で、上面に円形の開口部が設けられている。ネット部は、ドーム形状で、袋部の上面の開口部を開閉する蓋体である。ファスナは、詳しくは後述するが、袋部の上縁とネット部の下縁とを開閉する。肩ベルトは、１本で、両端部が袋部の上部の２か所で固定され、中間部がペットの飼主などの使用者の後頸部に掛けられる。
【０００３】
ファスナは、２本の並列したテープと、この各テープの突き合うエッジに設けられた多数のエレメントを連ねたエレメント列と、スライドして各エレメント列のエレメントを噛み合わせて閉じたり、離して開けたりするスライダと、を備えている。一方のテープは、袋部の上縁に縫い付けられる。他方のテープは、ネット部の下縁に縫い付けられる。スライダが一方にスライドすると、両エレメントが噛み合って、袋部を閉じたネット部が開けられなくなる。
【０００４】
このペット用バッグは、ネット部を開けた状態において袋部内にペットを入れる。そして、ペット用バッグは、ネット部が閉じられ、ファスナが閉められることで、袋部内に入れられたペットがネット部を内側から押しても、ネット部が開けられることなく閉じられた状態を維持する。
【先行技術文献】
【特許文献】
【０００５】
【特許文献１】特開２００２−２２３８３４号公報
【発明の概要】
【発明が解決しようとする課題】
【０００６】
特許文献１に記載されたペット用バッグは、ファスナの各エレメントが袋部の上縁とネット部の下縁とに設けられる。したがって、このペット用バッグは、ペットが袋部内に入れられた後、ネット部が閉じられるときに、ファスナの両エレメントの間にペットの毛やヒゲなどを挟むおそれがある。
【０００７】
これを防止するため、ペットをタオルに包（くる）んだり、手でペットの頭や体を抑えたりしながらネット部（蓋体）を閉じるといった方法が考えられる。しかし、タオルで包む方法は、解けやすいために効果的でない。また、手でペットの頭や体を抑えながら蓋を閉じようとする方法は、ペットの反抗を誘発するだけでなく、動物愛護の見地から好ましくない。
【０００８】
本発明はペットを収納体に入れて蓋体を閉じるときに、毛やヒゲなどを収納体と蓋体との間に挟まないようにすることが可能なペット用バッグを提供することを目的とする。
【課題を解決するための手段】
【０００９】
本発明に係るペット用バッグは、
ペットを出し入れする開口部に隣り合って保形性を有する収納体側嵌合部が設けられた収納体と、
前記収納体の開口部を開閉する蓋体と、
前記蓋体が前記開口部を閉じた状態を維持するように留める留め具と、
を備え、
前記蓋体は、閉じられたときに、前記開口部を塞ぐ本体部と、当該本体部から突出し、前記収納体側嵌合部に嵌り合う蓋体側嵌合部と、を有している。
【００１０】
本発明に係るペット用バッグの一態様として、
前記収納体は、一端部に前記開口部を有する筒状の胴部と、当該胴部の他端部を塞ぐ底部と、を備えている。
【００１１】
前記本発明に係るペット用バッグの一態様において、
前記底部は、ペットを載せる四角形状に形成され、
前記胴部は、前記底部の相対する一対の各縁に立設された一対の襠部と、一対の前記襠部の一方の各側縁間に架設された正面部と、一対の前記襠部の他方の各側縁間に架設された背面部とを備え、前記開口部が前記底部と対向する上面に設けられ、
前記収納体側嵌合部は、一対の前記襠部と前記正面部と前記背面部の各上端部においてフレーム状に形成されている。
【００１２】
本発明に係るペット用バッグの一態様において、
前記収納体の前記背面部は、一対の前記襠部に下向きの張力が生じるように前記底部に対して鋭角に傾斜し、前記底部が水平姿勢となるように補強部材を備えている。
【００１３】
前記ペット用バッグの一態様のペット用バッグは、前記収納体の開口部側と底部側とに架け渡された肩ベルトを備えていてもよい。
【００１４】
本発明に係るペット用バッグの他態様として、
前記収納体は、ペットを載せる底部を備え、前記開口部が前記底部と隣り合う側面に設けられている。
【００１５】
本発明に係るペット用バッグの一態様及び他態様において、
前記留め具は、前記収納体の収納体側嵌合部の端縁近傍に設けられた収納体側のエレメント列と、前記蓋体の蓋体側嵌合部の端縁に設けられた蓋体側のエレメント列と、前記両エレメント列を噛み合わせて閉じたり離して開けたりするスライダと、を備えたファスナである。
【００１６】
本発明に係るペット用バッグの一態様及び他態様において、
前記収納体側嵌合部は、着脱可能な保形材を備えている。
【００１７】
前記本発明と異なる本発明に係るペット用バッグは、
ペットを出し入れする開口部を狭窄するような鍔状部が設けられた収納体と、
前記収納体の開口部を開閉する蓋体と、
前記蓋体が前記開口部を閉じた状態を維持するように留める留め具と、
を備え、
前記蓋体は、閉じられたときに、前記開口部を塞ぐ中程部と、当該中程部の外周で前記鍔状部に接離する外周部と、を有している。
【００１８】
前記本発明と異なる本発明に係るペット用バッグにおいて、
前記留め具は、前記収納体の鍔状部の外周縁に設けられた収納体側エレメント列と、前記蓋体の外周部の外周縁に設けられた蓋体側エレメント列と、前記両エレメント列を噛み合わせて閉じたり離して開けたりするスライダと、を備えたファスナである。
【発明の効果】
【００１９】
本発明によれば、ペットを収納体に入れて蓋体を閉じるときに、毛やヒゲなどを収納体と蓋体との間に挟まないようにすることが可能なペット用バッグを提供することができる。
【図面の簡単な説明】
【００２０】
【図１】本発明に係るペット用バッグの第１の実施形態であって、蓋体が閉じられた状態を示す正面側からの斜視図である。
【図２】本発明に係るペット用バッグの第１の実施形態であって、蓋体が閉じられた状態を示す背面図である。
【図３】本発明に係るペット用バッグの第１の実施形態であって、蓋体が閉じられた状態を示す平面図である。
【図４】本発明に係るペット用バッグの第１の実施形態であって、蓋体が閉じられた状態を示す底面図である。
【図５】本発明に係るペット用バッグの第１の実施形態であって、底板を収納体から取り出した状態を示す分解斜視図である。
【図６】本発明に係るペット用バッグの第１の実施形態であって、蓋体が開けられた状態を示す斜視図である。
【図７】本発明に係るペット用バッグの第１の実施形態であって、蓋体が開けられた状態を示す左側面図である。
【図８】本発明に係るペット用バッグの第２の実施形態であって、蓋体が開けられた状態を示す正面側からの斜視図である。
【図９】本発明に係るペット用バッグの第２の実施形態であって、（ａ）は蓋体が閉じられた状態を示す斜視図であり、（ｂ）は蓋体が閉じられた状態を示す要部拡大断面図である。
【図１０】本発明に係るペット用バッグの第３の実施形態であって、蓋体が閉じられた状態を示す斜視図である。
【図１１】本発明に係るペット用バッグの第３の実施形態であって、蓋体が開けられた状態を示す斜視図である。
【図１２】本発明に係るペット用バッグの第４の実施形態であって、蓋体が開けられた状態を示す斜視図である。
【発明を実施するための形態】
【００２１】
〔第１の実施形態〕
本発明に係るペット用バッグの第１の実施形態について図１乃至図７を参照して説明する。図１は、ペット用バッグの第１の実施形態であって、蓋体が閉じられた状態を示す正面側からの斜視図である。図２は、ペット用バッグの第１の実施形態であって、蓋体が閉じられた状態を示す背面図である。図３は、ペット用バッグの第１の実施形態であって、蓋体が閉じられた状態を示す平面図である。図４は、ペット用バッグの第１の実施形態であって、蓋体が閉じられた状態を示す底面図である。図５は、ペット用バッグの第１の実施形態であって、底板を収納体から取り出した状態を示す分解斜視図である。図６は、ペット用バッグの第１の実施形態であって、蓋体が開けられた状態を示す斜視図である。図７は、ペット用バッグの第１の実施形態であって、蓋体が開けられた状態を示す左側面図である。
【００２２】
図１及び図６に示すように、第１の実施形態のペット用バッグは、収納体１と、蓋体２と、留め具３と、を備えている。収納体１及び蓋体２は、例えばデザイン性に優れた布地をベースにして高級感が醸し出されるように作られている。ただし、収納体１及び蓋体２の材質は、限定されない。
【００２３】
収納体１は、犬や猫などのペットの体型に合わせて必要十分な大きさとされたやや縦長の箱型のリュックサックのように、一端部に開口部１５を有する胴部（採番せず）と、胴部の他端部を塞ぐ底部１１とを備えている。胴部は、一対の襠（まち）部１２と、正面部１３と、背面部１４と、を備えている。
【００２４】
底部１１は、ペットが載せられる大きさで、一対の短辺と一対の長辺とがある長方形状である。一対の襠部１２は、底部１１の各短辺に立設されている。正面部１３は、両襠部１２の一方の各側縁間に跨るように底部１１の一方の長辺に垂直に立設されている。背面部１４は、襠部１２の他方の各側縁間に跨るように底部１１の他方の長辺に立設されている。ただし、背面部１４は、上面側が正面部１３の上面側に鋭角に傾斜している。したがって、襠部１２は、台形状に形成されている。
【００２５】
図示しないが、底部１１、襠部１２、正面部１３又は背面部１４のいずれかの内面には、首輪を引っ掛ける掛止具が取り付けられている。掛止具は、例えば茄子環が使用される（以下、「茄子環」として説明する。）。
【００２６】
蓋体２、襠部１２又は正面部１３の少なくともいずれかの一部は、メッシュによって構成されている。収納体１は、メッシュによって通気性を有するだけでなく、入れられたペットが外を見ることができるものとなる。図７に示すように、一方（図面では左側）又は両方の襠部１２には、ファスナ（採番せず）によって開閉するポケット１２１が設けられている。
【００２７】
底部１１の表面（底面）及び底部１１に隣り合う一対の襠部１２及び正面部１３の下部１７の表面は、例えばポリ塩化ビニル（ＰＶＣ）によってコーティングされている。このコーティングによって、底部１１及び下部１７の表面は、汚れにくくなり、汚れたとしても、その汚れを拭き取りやすくなる。
【００２８】
図４に示すように、底部１１の表面（底面）には、鋲１１１が打たれている。図５に示すように、ペット用バッグは、収納体１内に底板１１２を有している。収納体１は、底板１１２がセットされることで、底部１１が形成される。底板１１２は、硬質のポリエチレン（ＰＥ）製の芯材１１２ａと、この芯材の一方の面に重ね合された軟質の発泡ポリエチレン（ＥＰＥ）製のクッション材１１２ｂと、クッション材を覆う生地材１１２ｃと、芯材１１２ａの表面に張設されたゴムバンド１１２ｄとを備え、表裏リバーシブルに使用できるようにされている。
【００２９】
芯材１１２ａは、クッション材１１２ｂよりも一回り大きくされている。芯材１１２ａの外周縁と生地材１１２ｃの外周縁とが重なり合い、全周が留枠１１２ｅによって固定される。ゴムバンド１１２ｄの各端部は留枠１１２ｅを巻き込むようにして固定される。ゴムバンド１１２ｄは、図示したような平行な２本が芯材１１２ａの両端部付近に張設されるだけでなく、図示しない十字に張設されてもよいし、１本又は３本以上張設されてもよい。
【００３０】
芯材１１２ａの表面には、タオルやシーツなど（図示せず）が置かれる。このタオルやシーツなどは、ゴムバンド１１２ｄによって挟まれることで位置ずれしない。底板１１２は、背面側が凹むようにカーブしている。こうすることで収納体１の底部１１の背面部１４側は、使用者の背骨に点接触することなく、腰に沿うように線接触する。
【００３１】
図１、図５乃至図７に示すように、各襠部１２の開口部１５寄りの外面には、帯状の取っ手部１８が一対に備えられている。取っ手部１８は、通常、襠部１２の表面に重なるように両端部が固定され、指を挿し込むことができるようにされている。使用者は、それぞれの取っ手部１８に左右の指を挿し込むことで、底部１１を水平姿勢としてペット用バッグを持ち上げたり、下げたりすることができる。
【００３２】
図７の一部拡大断面図に示すように、背面部１４は、板状の補強部材１４ａと、補強部材１４ａの一方の面に重ねられた布製の表地１４ｂと、補強部材１４ａの他方の面に重ねられた布製の裏地１４ｃと、の三層で構成されている。補強部材１４ａは、例えば、硬質のポリエチレンによって成形されている。補強部材１４ａは、軽量化のため、肉抜き加工してもよい。図２に示すように、背面部１４の表地１４ｂには、背面部１４が使用者の背中に密着しないようにするため、荒目のメッシュ１４１が重ね合わされている。
【００３３】
図１及び図２などに示すように、収納体１の背面部１４には、ペット用バッグをリュックサックとして使用するため、開口部１５側から底部１１側に架けて一対の肩ベルト４１が架け渡されている。肩ベルト４１は、長さ調整可能とされている。肩ベルト４１が長くされると、収納体１の背面部１４が使用者の背中から離れるように傾く。肩ベルト４１が短くされると、収納体１の背面部１４が使用者の背中に接触するように起立する。
【００３４】
図５乃至図７に示すように、収納体１は、開口部１５に隣接して収納体側嵌合部１９を有している。収納体側嵌合部１９は、一対の襠部１２の開口部１５側及び正面部１３の開口部１５側において、保形性を有するフレーム状に形成されている。収納体側嵌合部１９は、正面部１３側が幅広に設けられ、襠部１２側が三角形状に設けられる。襠部１２側の三角形状の収納体側嵌合部１９は、幅が正面部１３側から背面部１４側にかけて次第に幅狭となる。
【００３５】
図２及び図７の一部拡大断面図に示すように、収納体側嵌合部１９は、硬質の保形材１９ａ及び軟質の保形材１９ｂによって、平面視コ字形のフレーム状に形成される。硬質の保形材１９ａは、硬質のポリエチレン（ＰＥ）製の板材である。軟質の保形材１９ｂは、発泡ポリエチレン製のクッション材である。収納体側嵌合部１９は、両保形材１９ａ，１９ｂを収納する隙間を設けるように表側生地１９ｃと内側生地１９ｄとを備えている。正面部１３における収納体側嵌合部１９の両保形材１９ａ，１９ｂは、両生地１９ｃ，１９ｄ内から出し入れされない。
【００３６】
図２の一部拡大断面図に示すように、襠部１２における収納体側嵌合部１９は、表側生地１９ｃと内側生地１９ｄとの間に仕切生地１９ｅが備えられ、内側生地１９ｄと仕切生地１９ｅとの間にポケット１９ｆが設けられている。ポケット１９ｆ内には、三角形状に形成された硬質の保形材１９ａが出し入れできるように収納される。そのため、内側生地１９ｄの正面部１３と襠部１２との境界部には、差込口（図示せず）が設けられている。ポケット１９ｆに入れられた硬質の保形材１９ａの幅広側の一端縁が正面部１３の内側生地１９ｄに当たることで、硬質の保形材１９ａは、引っ張られない限り、ポケット１９ｆ内から出ないようにされている。
【００３７】
正面部１３の下部（例えば、下側３分の１程度）には、表側生地１９ｃと内側生地１９ｄとに挟まれる隙間内に補強材（図示せず）収納されている。補強材は、梱包時において備えられず、使用時において備えられる。そのため、正面部１３の内側生地１９ｄの端縁に差込口（図示せず）が設けられている。梱包時において、収納体１が二つ折りとされ、正面部１３に折り癖がつき、その折り癖の部位で折れ曲がりやすくなったとしても、補強材によって正面部１３は、平坦な状態を維持する。
【００３８】
収納体１の開口部１５は、蓋体２によって開閉する。図１、図５乃至図７に示すように、蓋体２は、本体部２１と、蓋体側嵌合部２２とを有している。本体部２１は、開口部１５を閉じたときに収納体１の底部１１と対向する長方形状の部位である。蓋体側嵌合部２２は、閉じられたときに、本体部２１の外縁から収納体１の底部１１の方に向くように突出した部位である。蓋体側嵌合部２２は、収納体１の収納体側嵌合部１９に被さる。
【００３９】
蓋体側嵌合部２２は、収納体１の収納体側嵌合部１９の幅と同様、正面部側が幅広とされ、襠部１２側が正面部側から背面部側に次第に幅狭となる三角形状とされている。蓋体２の背面部側は、収納体１の収納体側嵌合部１９の背面部１４の上縁に縫合などによって繋がれ、ヒンジのように機能する。すなわち、蓋体２は、収納体１の背面部１４の上縁を軸にして収納体１の開口部１５を開閉する。
【００４０】
図１及び図３に示すように、蓋体２の本体部２１の中央には、窓部（図示せず）が設けられている。窓部は、メッシュによって構成され、カバー２１１によって開閉する。カバー２１１の背面部１４側の一辺は、蓋体２の本体に縫い付けられている。カバー２１１の他のコ字形の三辺と本体部２１の窓部とは、コ字状のファスナ２１２によって開閉する。ファスナ２１２が開けられ、カバー２１１が捲（めく）られると、収納体１に入れられたペットを外から見ることができる。ペットは、メッシュによって窓部から飛び出すことがない。
【００４１】
収納体１の開口部１５を閉じた蓋体２は、留め具３によって閉じた状態を維持する。留め具３としては、例えばファスナが使用される（以下、「ファスナ３」として説明する。）。図７に明示するように、ファスナ３は、２本の並列したテープ（図示せず）と、この各テープの突き合うエッジにエレメントを連ねたエレメント列３１と、スライドして各エレメント列３１のエレメントを噛み合わせて閉じたり、離して開けたりするスライダ（図１では２個図示されているが、１個でもよい。）３２と、を備えている。
【００４２】
収納体側嵌合部１９側のエレメント列３１は、収納体１の収納体側嵌合部１９の下縁に配列される。蓋体２側のエレメント列３１は、蓋体２の蓋体側嵌合部２２の下縁に配列される。スライダ３２が一方にスライドすると、両エレメント列３１が噛み合って、開口部１５を閉じた蓋体２が開けられなくなる。スライダ３２が他方にスライドすると、噛み合った両エレメント列３１が離れて開口部１５を閉じた蓋体２が開けられる。収納体側嵌合部１９側と蓋体２側の各エレメント列３１は、収納体１の開口部１５の外周縁でなく、収納体１の収納体側嵌合部１９の下縁で噛み合って閉じられる。
【００４３】
ここで、ペット用バッグの使用方法について説明する。図６及び図７に示すように、蓋体２が収納体１の開口部１５を開けた状態において、使用者が開口部１５から収納体１内にペットを入れる。ペットに首輪が付けられているときは、首輪の端部を茄子環に引っ掛ける。なお、首輪の端部を茄子環に引っ掛けてからペットを開口部１５から収納体１内に入れてもよい。
【００４４】
次に、図１に示すように、使用者は、蓋体２を閉じる。蓋体２の蓋体側嵌合部２２は、収納体１の保形された収納体側嵌合部１９に被さる。したがって、ペットが立ち上がるなどして、ペットの顔が開口部１５にあっても、閉じられた蓋体２がペットのヒゲなどを挟むことはない。続いて、使用者がファスナ３のスライダ３２をスライドすることで、蓋体２が開かないようにする。ファスナ３のエレメント列３１が収納体側嵌合部１９の下縁に設けられ、開口部１５に設けられていないため、ペットのヒゲなどは、閉じられるファスナ３に挟まれない。
【００４５】
ファスナ３は、蓋体２と収納体１の開口部１５とを隙間なく閉じる。したがって、ペットの頭や手などが蓋体２と収納体１の開口部１５との間から出ることはない。使用者は、肩ベルト４１を肩に掛けることで、ペット用バッグを担ぎ、ペットを携え、動物病院やレジャーなどに連れ出す。蓋体２は、ファスナ３によって閉じられているため、開くことがなく、ペットが収納体１内から飛び出ることはない。蓋体２のカバー２１１が開けられると、中のペットがネット越しに外を見ることができ、通気性が確保される。
【００４６】
また、予め、底部１１が水平姿勢となるように、肩ベルト４１の長さが調整される。使用者に担がれたペット用バッグは、背面部１４が補強部材１４ａを備え、底板１１２が芯材１１２ａを備えているため、底板１１２に載ったペットの荷重によって襠部１２に張力が生じる。背面部１４が底部１１に対して鋭角に傾斜しているため、底部１１は、襠部１２に生じる斜め方向の張力によって引っ張られる状態となる。したがって、底部１１は、上方から吊り下げられるようになって水平姿勢を維持する。水平姿勢の底板１１２上のペットは、バランスした底板１１２上に載って動物病院などへ連れ出される。
【００４７】
目的地において、ペット用バッグの肩ベルト４１が使用者の肩から外される。蓋体２を閉じたファスナ３が開けられ、蓋体２が開けられることで、ペットを収納体１内から取り出す。ペットが首輪によって茄子環に繋がれていると、ペットが収納体１内から勢いよく飛び出たとしても、引き止めることができる。
【００４８】
ここで、ペット用バッグの保管時や製造工場から店舗などへの輸送時の形態について説明する。このペット用バッグは、嵩張らないようにすることができる。このペット用バッグは、襠部１２に設けられた収納体側嵌合部１９の保形材１９ａが収納されていないことで、襠部１２を内向きに折曲可能となる。
【００４９】
したがって、このペット用バッグは、襠部１２を内折にして、正面部１３と背面部１４とを重ね合わせるようにして、コンパクト化を図ることができる。正面部１３内の補強材が正面部１３内から抜かれることで、ペット用バッグは、正面部１３においても折り曲げてコンパクト化を図ることができる。
【００５０】
本発明に係るペット用バッグの第１の実施形態は、前記内容に限定されるものではなく、本発明の目的を達成できる範囲で変形や改良などを含む。
【００５１】
〔第２の実施形態〕
本発明に係るペット用バッグの第２の実施形態について図８及び図９を参照して説明する。図８は、ペット用バッグの第２の実施形態であって、蓋体が開けられた状態を示す正面側からの斜視図である。図９は、ペット用バッグの第２の実施形態であって、（ａ）は蓋体が閉じられた状態を示す斜視図であり、（ｂ）は蓋体が閉じられた状態を示す要部拡大断面図である。
【００５２】
図８及び図９に示すように、第２の実施形態のペット用バッグは、収納体１と、蓋体２と、留め具３と、を備えている。収納体１は、犬や猫などのペットの体型に合わせて必要十分な大きさとされたやや縦長の箱型のリュックサックのような形態とされている。収納体１は、底部１１と、一対の襠部１２と、正面部１３と、背面部１４と、を備え、上面に開口部１５が設けられている。収納体１が第１の実施形態と同様に構成されている部位については、図面において同じ符号を付して、重複した説明はしない。
【００５３】
図８及び図９に示すように、収納体１の開口部１５は、蓋体２によって開閉する。蓋体２は、本体部２１と、蓋体側嵌合部２２とを有している。本体部２１は、開口部１５を閉じたときに収納体１の底部１１と対向する長方形状の部位である。蓋体側嵌合部２２は、閉じられたときに、本体部２１の外縁から収納体１の底部１１の方に向くように突出した部位である。
【００５４】
ただし、第２の実施形態の蓋体側嵌合部２２は、第１の実施形態と異なり、本体部２１の外縁よりも内側で突出することにより、収納体１の収納体側嵌合部１９の一対の襠部１２と正面部１３の内面側に嵌め込まれる。図示しないが、収納体１の収納体側嵌合部１９は、第１の実施形態と同様、硬質の保形材及び軟質の保形材によって、平面視でコ字形のフレーム状に形成される。収納体側嵌合部１９の襠部１２側における硬質の保形材は、着脱自在とされている。図９（ｂ）に示すように、本体部２１の外周部２１３は、蓋体側嵌合部２２の外周縁から突出した庇のようになり、蓋体２が閉じられたときに、収納体側嵌合部１９の上端縁に載る。
【００５５】
収納体１の開口部１５を閉じた蓋体２は、留め具３によって閉じた状態を維持する。留め具３は、第１の実施形態と同様、２本の並列したテープ（図示せず）と、この各テープに突き合うエッジにエレメントを連ねたエレメント列３１と、スライドして各エレメント列３１のエレメントを噛み合わせて閉じたり離して開けたりするスライダ（２個図示されているが、１個でもよい。）３２と、を備えている。
【００５６】
一方のエレメント列３１は、収納体１の収納体側嵌合部１９の上縁に配列される。他方のエレメント列３１は、蓋体２の本体部２１の外周縁、すなわち、外周部２１３の外周縁に配列される。したがって、他方のエレメント列３１は、蓋体２の蓋体側嵌合部２２に配列さない。
【００５７】
第２の実施形態におけるペット用バッグの他の構成、例えば、蓋体２のカバー２１１及びファスナ２１２や、図示しないが、底部１１上の底板や背面部１４内の補強部材、収納体側嵌合部１９内の保形材などは、第１の実施形態と同様に備えられるが、重複した説明はしない。
【００５８】
ここで、ペット用バッグの使用方法の要点について説明する。図８に示すように、蓋体２が収納体１の開口部１５を開けた状態において、使用者が開口部１５から収納体１内にペットを入れる。
【００５９】
次に、図９（ａ）に示すように、使用者は、蓋体２を閉じる。蓋体２の本体部２１が収納体１の開口部１５を塞ぎ、蓋体２の蓋体側嵌合部２２が収納体１の保形された収納体側嵌合部１９の内面側に嵌め込まれる。この状態では、蓋体２の本体部２１の外周部２１３が収納体１の収納体側嵌合部１９の上縁に載る。したがって、開口部１５を閉じた蓋体２は、本体部２１が収納体側嵌合部１９内に沈み込まない。
【００６０】
この状態では、蓋体の本体部２１の外周縁に配列された蓋体２側のエレメント列３１と、収納体１の収納体側嵌合部１９の上縁に配列された収納体１側のエレメント列３１とが突き合う状態となる。蓋体２は、ファスナ２１２が閉められることで、開けられなくなる。ファスナ２１２によって、蓋体２の本体部２１の外周縁と収納体１の収納体側嵌合部１９の上縁とは、隙間が生じない。したがって、収納体１内のペットの頭や手などが蓋体２の本体部２１の外周縁と収納体１の収納体側嵌合部１９の上縁との間から出ることはない。
【００６１】
蓋体２を閉じるに際して、収納体１内に入れられたペットが立ち上がるなどして、ペットの顔が開口部１５にあっても、ペットの顔は蓋体側嵌合部２２に囲まれる状態となる。したがって、ペットのヒゲなどは、蓋体側嵌合部２２と収納体側嵌合部１９との間に挟まれない。
【００６２】
蓋体２を閉じたペット用バッグは、第１の実施形態と同様、底部１１が水平姿勢となるように担がれる。ペットは、動物病院などの目的において、蓋体２が開けられることで、収納体１内から出される。
【００６３】
本発明に係るペット用バッグの第２の実施形態は、前記内容に限定されるものではなく、本発明の目的を達成できる範囲で変形や改良などを含む。
【００６４】
例えば、第２の実施形態における蓋体２は、本体部２１の外周部２１３が蓋体側嵌合部２２よりも庇のように突出し、収納体側嵌合部１９の上縁に載ることで、本体部２１が収納体側嵌合部１９内に沈み込まないようにした。しかし、収納体１は、収納体側嵌合部１９の内側に、蓋体２の蓋体側嵌合部２２の先端縁が当たる突出部を設けたものとしてもよい。あるいは、収納体１は、蓋体側嵌合部２２の外面が当たるテーパ面を設けたものとしてもよい。いずれにしても、蓋体側嵌合部２２は、閉じられたときに沈み込まないようにすることができる。
【００６５】
〔第３の実施形態〕
本発明に係るペット用バッグの第３の実施形態について図１０及び図１１を参照して説明する。図１０は、ペット用バッグの第３の実施形態であって、蓋体が閉じられた状態を示す斜視図である。図１１は、ペット用バッグの第３の実施形態であって、蓋体が開けられた状態を示す斜視図である。
【００６６】
図１０及び図１１に示すように、第３の実施形態のペット用バッグは、収納体１と、蓋体２と、留め具３と、を備えている。
【００６７】
収納体１は、犬や猫などのペットの体型に合わせて必要十分な大きさとされたやや横長の形態とされている。収納体１は、底部１１と、一対の襠部１２と、正面部１３と、背面部１４と、上面部１６と、を備えている。底部１１の内面上には、第１の実施形態と同様の底板１１２がセットされている。
【００６８】
一方又は両方（図面では一方のみ）の襠部１２である側面には、開口部１５が設けられている。正面部１３と背面部１４は、説明の便宜上区別したが、特徴的な図柄が描かれていない限り、実際は同じであり、区別されない。上面部１６は、基本的に開口面とされていない。
【００６９】
収納体１は、開口部１５に隣接して収納体側嵌合部１９を有している。収納体側嵌合部１９は、上面部１６側が幅広に設けられ、正面部１３及び背面部１４が上面部１６から底部１１にかけて次第に幅狭となるような三角形状とされている。第１の実施形態において説明したように、収納体側嵌合部１９の上面部１６及び正面部１３と背面部１４は、硬質の保形材及び軟質の保形材（ともに図示せず）によって保形性を有するフレーム状に形成されている。
【００７０】
収納体１の開口部１５は、蓋体２によって開閉する。蓋体２は、本体部２１と、蓋体側嵌合部２２とを有している。本体部２１は、閉じられたときに開口部１５を塞ぐ部位である。蓋体側嵌合部２２は、閉じられたときに収納体側嵌合部１９と嵌り合う部位である。蓋体側嵌合部２２は、第１の実施形態において説明したように、収納体側嵌合部１９を外嵌してもよいし、図示しないが、第２の実施形態において説明したように、収納体側嵌合部１９の内面側に嵌り込んでもよい。
【００７１】
いずれにしても、蓋体側嵌合部２２は、例えば、底側の一辺が幅狭とされ、収納体１の収納体側嵌合部１９の底部１１に縫合などによって繋がれる。蓋体２は、完全に開けられた状態において、本体部２１が床面に重なる。蓋体側嵌合部２２は、開口部１５を閉じた状態において、上面が収納体側嵌合部１９の上面と広い幅で重なる。閉じた蓋体２の蓋体側嵌合部２２の正面及び背面は、収納体側嵌合部１９の正面部１３及び背面部１４と重なるように三角形状とされている。
【００７２】
開口部１５を閉じた蓋体２は、留め具３によって閉じた状態を維持する。留め具３としては、ファスナが使用される（以下、「ファスナ３」として説明する。）。ファスナ３は、一対のエレメント列３１やスライダ３２などを有している。蓋体側嵌合部２２が収納体側嵌合部１９を外嵌する場合は、第１の実施形態において説明したように、一方のエレメント列３１が蓋体側嵌合部２２の先端縁に配列される。この場合の他方のエレメント列３１は、一方のエレメント列３１と噛み合うように収納体側嵌合部１９の奥側（他方の襠部１２側）の端縁に配列される。
【００７３】
第３の実施形態のペット用バッグは、収納体１が横長とされていることから、正面部１３と背面部１４の上部にそれぞれ持ち手４３（背面部１４側は図示せず）の各端部が固定されている。したがって、第３の実施形態のペット用バッグは、ボストンバッグのような形態となる。
【００７４】
ここで、第３の実施形態のペット用バッグの使用方法の要点について説明する。図１１に示すように、蓋体２が収納体１の開口部１５を開けた状態において、使用者が開口部１５から収納体１内にペットを入れる。収納体１の底部１１が床面上に置かれていると、蓋体２の本体部２１が床面上に重なるため、ペットが床面を歩いて収納体１の内部に入ることができる。すなわち、飼主は、ペットを抱えて収納体１の内部に入れなくてもよい。
【００７５】
図１０に示すように、その後、蓋体２が収納体１の開口部１５を閉じる。このとき、ペットの顔が開口部１５にあっても、ペットの顔は蓋体側嵌合部２２に囲まれる状態となる。したがって、ペットのヒゲなどは、蓋体側嵌合部２２と収納体側嵌合部１９との間に挟まれない。ファスナ３を閉めたペット用バッグは、蓋体２が開かないようになって、持ち手４３から下げられ、ペットを携えることができる。ペット用バッグは、ファスナ３を開け、蓋体２を開けることで、収納体１内のペットが出てくる。
【００７６】
本発明に係るペット用バッグの第３の実施形態は、前記内容に限定されるものではなく、本発明の目的を達成できる範囲で変形や改良などを含む。
【００７７】
例えば、図示しないが、第３の実施形態においても、第２の実施形態において説明したように、蓋体側嵌合部２２が収納体側嵌合部１９内に嵌り込むようにしてもよい。この場合は、一方のエレメント列３１が、本体部２１の外周縁に配列される。この場合の他方のエレメント列３１は、収納体側嵌合部１９の開口部側の端縁に配列される。
【００７８】
第３の実施形態における収納体１の上面部１６は、開口面とされていない。しかし、第１の実施形態の蓋体２のように、収納体１の上面部１６は、窓部を有し、この窓部を開閉するカバーを備えてもよい。あるいは、図示しないが、収納体１の上面部１６は、長さ方向のスリットを有し、このスリットがファスナなどによって開閉するようにしてもよい。
【００７９】
第３の実施形態におけるペット用バッグは、ボストンバッグのような形態とし、持ち手４３を備えた。しかし、第３の実施形態におけるペット用バッグであっても、持ち手４３を備えず、第１及び第２の実施形態において説明したように、リュックサックのような肩ベルトを備えてもよい。
【００８０】
〔第４の実施形態〕
本発明に係るペット用バッグの第４の実施形態について図１２を参照して説明する。図１２は、ペット用バッグの第４の実施形態であって、蓋体が開けられた状態を示す斜視図である。
【００８１】
図１２に示すように、第４の実施形態のペット用バッグは、収納体６と、蓋体７と、留め具８と、を備えている。
【００８２】
収納体６は、犬や猫などのペットの体型に合わせて必要十分な大きさとされた箱型で、布地などによってリュックサックのように作られる。収納体６は、底部６１と、一対の襠部６２と、正面部６３と背面部６４と、を備え、上面に開口部６５を設けている。開口部６５は、鍔状部６６によって狭窄されている。
【００８３】
底部６１は、第１の実施形態と同様、ペットが載せられる大きさで、長方形状とされている。一対の襠部６２は、底部６１の各短辺に立設されている。正面部６３は、両襠部６２の一方の各側縁間に跨るように底部１１の一方の長辺に垂直に立設されている。背面部６４は、襠部６２の他方の各側縁間に跨るように底部６１の他方の長辺に傾斜して立設されている。
【００８４】
鍔状部６６は、一対の襠部６２及び正面部６３の上端縁から内向きに突出し、背面部６４の上端縁から突出していない。図示した鍔状部６６の内周は、ほぼ半円形に形成されている。したがって、開口部６５は、ほぼ半円形に形成されている。
【００８５】
蓋体７は、開口部６５を開閉する。蓋体７の一辺が背面部６４の上端縁に縫い付けられる。蓋体７は、閉じられたときに開口部６５を塞ぐ中程部７１と、この中程部７１の外周で鍔状部６６に接離する外周部７２と、を有している。図示した外周部７２の外周縁は、鍔状部６６の外周縁と接離する。
【００８６】
留め具８は、蓋体７が開口部６５を閉じた状態を維持するように留める。留め具８としては、例えばファスナが使用される（以下、「ファスナ８」として説明する）。ファスナ８は、２本の並列したテープ（図示せず）と、この各テープの突き合うエッジにエレメントを連ねたエレメント列８１と、スライドして各エレメント列８１のエレメントを噛み合わせて閉じたり離して開けたりするスライダ８２と、を備えている。
【００８７】
ファスナ８の一方のエレメント列８１は、一対の襠部６２及び正面部６３の上端縁に配列される。ファスナ８の他方のエレメント列８１は、蓋体７の外周縁に配列される。したがって、ファスナ８は、コ字状に配列されている。
【００８８】
第４の実施形態のペット用バッグは、肩ベルト９１や取っ手部６８を備え、図示しないが、収納体１内に底板を有し、背面部６４に補強部材を備えている。これらは、第１及び第２の実施形態と同様に構成されるため、重複した説明はしない。
【００８９】
ここで、第４の実施形態のペット用バッグの使用方法について説明する。図１２に示すように、蓋体７が収納体６の開口部６５を開けた状態において、使用者が開口部６５から収納体６内にペットを入れる。
【００９０】
その後、蓋体７が開口部６５を閉じる。この状態では、蓋体７の外周縁に配列されたファスナ８のエレメント列と、鍔状部６６の外周に配列されたファスナ８のエレメント列とが突き合う。ファスナ８のスライダが閉められることで、ファスナ８が開けられなくなる。このとき、ペットの頭が開口部６５にあっても、ペットのヒゲが両エレメント列８１に挟まれない。
【００９１】
ファスナ８を閉めて蓋体７が開かないようになったペット用バッグは、ペットを携えて連れ出すことができる。ペット用バッグは、ファスナ８を開け、蓋体７を開けることで、収納体６内のペットは出てくることができる。
【００９２】
本発明に係るペット用バッグの第４の実施形態は、前記内容に限定されるものではなく、本発明の目的を達成できる範囲で変形や改良などを含む。
【００９３】
第４の実施形態のペット用バッグは、リュックサックのような形態とされ、肩ベルト９１を備えた。しかし、第４の実施形態のペット用バッグは、第３の実施形態におけるペット用バッグのようなボストンバッグのような形態とし、持ち手を備えるようにしてもよい。
【００９４】
第４の実施形態におけるペット用バッグは、鍔状部６６が背面部６４の上縁からも内向きに突出してもよい。この場合の鍔状部６６の内周縁は、円形でも角形でもよい。蓋体７の外周縁は、鍔状部６６の外周縁と接離するのではなく、鍔状部６６の中間部で接離するようにしてもよい。この場合は、ファスナ８の一方のエレメント列８１は、鍔状部６６の中間部に配列される。
【００９５】
〔他の実施形態〕
以上、本発明の第１乃至第４の実施形態について説明したが、本発明は、前記実施形態に限定されるものではなく、本発明の目的を達成できる範囲での変形改良等は本発明に含まれるものである。
【００９６】
例えば、本発明の第１乃至第４の実施形態における留め具３，８は、エレメント列３１，８１やスライダ３２，８２を備えたファスナ３を使用した。しかし、留め具３，８は、ファスナ３，８に替えて、面ファスナやホックなど種々のタイプを使用することができる。蓋体２のカバー２１１を開閉するファスナ２１２も同様、面ファスナやホックなどに代替してもよい。
【００９７】
本発明の第１乃至第４の実施形態における収納体１，６は、底部１１，６１と、一対の襠部１２，６２と、正面部１３，６３と、背面部１４，６４とを備えるとした。しかし、底部１１，６１は、長方形状でなく、正方形や台形などであってもよい。収納体１，６は、有底円筒形やアーチ形などの形状にしてもよい。当然ながら収納体１，６の開口部１５の形状に合わせて、蓋体２，７の形状は円形やアーチ形とされる。さらに、収納体１，６は、正面部１３，６３と背面部１４，６４が重なって底部を有さない状態から、底板１１２を入れることで、底部１１，６１を設けるようにしたものでもよいし、底板１１２を入れずに底部１１，６１を設けないようにしてもよい。
【００９８】
本発明の第１乃至第４の実施形態における収納体１，６にセットされた底板１１２は、クッション材１１２ｂを備えるとした。しかし、底板１１２は、クッション材１１２ｂを備えることなく、芯材１１２ａと生地材１１２ｃとの二層に積層したもの、又は芯材１１２ａもしくは生地材１１２ｃのみの一層にしたものとしてもよい。
【００９９】
本発明の第１乃至第３の実施形態における収納体１の収納体側嵌合部１９は、着脱可能な保形材１９ａを備えているとした。しかし、収納体側嵌合部１９は、着脱しない保形材１９ａを備えてもよい。さらに、収納体側嵌合部１９がある程度の剛性を有していれば、収納体側嵌合部１９は保形材１９ａを備えなくてもよい。
【０１００】
本発明の第１、第２及び第４の実施形態における収納体１，６の背面部１４，６４は、底部１１に対して鋭角に傾斜するとした。しかし、背面部１４，６４は、底部１１に対して直角に起立するなど傾斜していなくてもよい。この背面部１４，６４が底部１１に対して直角に起立する場合は、背面部１４，６４が鉛直向きとされることで、底部１１を水平姿勢とすることができる。
【０１０１】
本発明の第１、第２及び第４の実施形態における収納体１の背面部１４，６４は、補強部材１４ａを備え、底板１１２は、芯材１１２ａを備えるとした。しかし、背面部１４，６４及び底板１１２の少なくともいずれか一方は、補強部材１４ａや芯材１１２ａを備えることなく、フレキシブルであってもよい。
【０１０２】
本発明の第１、第２及び第４の実施形態における収納体１，６は、取っ手部１８，６８を備えているとした。しかし、収納体１，６は、必ずしも取っ手部１８，６８を備えなくてもよいし、あるいは、図示しないが、各襠部１２，６２の上端縁から突出する２本の持ち手を備えてもよい。また、収納体１，６は、１本の肩ベルトを斜交（はすか）いに架け渡し、斜め掛けで使用するようにしてもよい。
【０１０３】
〔まとめ〕
以上まとめると、本発明が適用されるペット用バッグは、次のような構成を取れば足り、各種各様な実施形態をとることができる。
【０１０４】
すなわち、本発明に係るペット用バッグは、
ペットを出し入れする開口部１５に隣り合って保形性を有する収納体側嵌合部１９が設けられた収納体１と、
前記収納体１の開口部１５を開閉する蓋体２と、
前記蓋体が前記開口部１５を閉じた状態を維持するように留める留め具３と、
を備え、
前記蓋体２は、閉じられたときに、前記開口部１５を塞ぐ本体部２１と、当該本体部２１から突出し、前記収納体側嵌合部１９に嵌り合う蓋体側嵌合部２２と、を有している。
【０１０５】
このペット用バッグは、収納体１の開口部１５を閉じた蓋体２の蓋体側嵌合部２２が収納体１の開口部１５に隣り合って設けられた収納体側嵌合部１９に被さることで、蓋体２と収納体１の開口との間にペットのヒゲや毛などが挟まれないようにすることができる。蓋体２は、留め具３によって収納体１の開口部１５を開けないように閉じられたままとされる。
【０１０６】
本発明に係るペット用バッグの一態様として、
前記収納体１は、一端部に前記開口部１５を有する筒状の胴部と、当該胴部の他端部を塞ぐ底部１１と、を備えている。
このペット用バッグは、一端部に開口部１５を有する筒状の胴部と、胴部の他端部を塞ぐ底部１１と、を備えた収納体１を有するリュックサックのようになり、開口部１５から収納体１内にペットを入れたり出したりすることができる。
【０１０７】
前記本発明に係るペット用バッグの一態様において、
前記底部は、ペットを載せる四角形状に形成され、
前記胴部は、前記底部１１の相対する一対の各縁に立設された一対の襠部１２と、一対の前記襠部１２の一方の各側縁間に架設された正面部１３と、一対の前記襠部１２の他方の各側縁間に架設された背面部１４とを備え、前記開口部１５が前記底部１１と対向する上面に設けられ、
前記収納体側嵌合部１９は、一対の前記襠部１２と前記正面部１３と前記背面部１４の各上端部においてフレーム状に形成されている。
【０１０８】
このペット用バッグは、収納体１が有底筒状とされ、ペットの体型に合わせ、必要十分な空間が生じるようにすることができる。また、収納体側嵌合部１９が保形性を有する四角形フレーム状に形成されることにより、収納体側嵌合部１９に蓋体２の蓋体側嵌合部２２が繰り返し被さっても、収納体側嵌合部１９が変形することなく、所期状態を維持することができる。
【０１０９】
本発明に係るペット用バッグの一態様において、
前記収納体１の前記背面部１４は、一対の前記襠部１２に下向きの張力が生じるように前記底部１１に対して鋭角に傾斜し、前記底部１１が水平姿勢となるように補強部材１４ａを備えている。
このペット用バッグは、底部１１が水平姿勢となることで、底部１１上のペットがバランスした状態で携えることできる。
【０１１０】
本発明に係るペット用バッグのさらに異なる他態様は、
前記収納体１の開口部１５側と底部１１側とに架け渡された肩ベルト４１を備えている。
このペット用バッグは、一対の肩ベルト４１を備えることにより、リュックサックとして使用することができ、１本の肩ベルト４１を備えることにより、ショルダーバッグのようにして使用することができる。
【０１１１】
本発明に係るペット用バッグの他態様として、
前記収納体１は、ペットを載せる底部１１を備え、前記開口部１５が前記底部１１と隣り合う側面に設けられている。
【０１１２】
このペット用バッグは、底部１１と隣り合う側面に開口部１５が設けられていることにより、例えば底部を床面に置いた状態とすると、ペットが床面を歩いて収納体内出入りすることができる。
【０１１３】
本発明に係るペット用バッグの一態様及び他態様において、
前記留め具３，８は、前記収納体の収納体側嵌合部の端縁近傍に設けられた収納体側のエレメント列３１，８１と、前記蓋体の蓋体側嵌合部の端縁に設けられた蓋体側のエレメント列３１，８１と、前記両エレメント列３１，８１を噛み合わせて閉じたり離して開けたりするスライダ３２，８２と、を備えたファスナである。
【０１１４】
このペット用バッグは、留め具３がファスナ３によって構成されることで、蓋体２と収納体１の開口部１５との間に隙間がなくなり、収納体１に入れられたペットの頭や手が蓋体２と収納体１の開口部１５との間から出ないようにすることができる。
【０１１５】
本発明に係るペット用バッグの一態様及び他態様において、
前記収納体側嵌合部は、着脱可能な保形材１９ａを備えている。
このペット用バッグは、着脱可能な保形材１９ａを抜き取ることによって、襠部１２を折り曲げることができるようになり、正面部１３と背面部１４とが重なるようにコンパクトにして保管や輸送などをすることができる。
【０１１６】
本発明に係るペット用バッグの一態様及び他態様において、
前記収納体１の各襠部１２における前記収納体側嵌合部１９は、着脱可能な保形材１９ａを備えている。
このペット用バッグは、収納体側嵌合部１９が保形材１９ａを備えることで、フレーム状に保形性を有し、保形材１９ａを備えないことで、収納体側嵌合部１９を二つ折りなどしてコンパクト化を図ることができる。
【０１１７】
前記本発明と異なる本発明に係るペット用バッグは、
ペットを出し入れする開口部６５を狭窄するような鍔状部６６が設けられた収納体６と、
前記収納体６の開口部６５を開閉する蓋体７と、
前記蓋体７が前記開口部６５を閉じた状態を維持するように留める留め具８と、
を備え、
前記蓋体７は、閉じられたときに、前記開口部６５を塞ぐ中程部７１と、当該中程部７１の外周で前記鍔状部６６に接離する外周部７２と、を有している。
【０１１８】
このペット用バッグは、収納体６が開口部６５を狭窄するような鍔状部６６を備え、蓋体７が鍔状部６６に接離する外周部７２を有していることにより、収納体６及び蓋体７が嵌合部を有することなく、蓋体７が収納体６の開口部６５を開閉し、留め具８によって閉じた状態を維持することができる。
【０１１９】
前記本発明と異なる本発明に係るペット用バッグの一態様は、
前記留め具８は、前記収納体の鍔状部の外周縁に設けられた収納体側のエレメント列８１と、前記蓋体７の外周部７２の外周縁に設けられた蓋体側のエレメント列８１と、前記両エレメント列８１を噛み合わせて閉じたり離して開けたりするスライダ８２と、を備えたファスナである。
【０１２０】
このペット用バッグは、ファスナの収納体側のエレメント列８１が収納体６の鍔状部６６の外周縁に設けられ、蓋体側のエレメント列８１が蓋体７の外周部の外周縁に設けられることにより、両エレメント列８１がペットのヒゲなどを挟まないようにすることができる。
【符号の説明】
【０１２１】
１……収納体
１１……底部
１１２……底板
１１２ａ…芯材
１１２ｂ…クッション材
１１２ｃ…生地材
１２……襠部
１３……正面部
１４……背面部
１４ａ…補強部材
１５……開口部
１８……取っ手部
１９……収納体側嵌合部
１９ａ…保形材
２……蓋体
２１……本体部
２２……蓋体側嵌合部
３……留め具（ファスナ）
３１……エレメント列
３２……スライダ
４１……肩ベルト
４３……持ち手
６……収納体
６１……底部
６２……襠部
６３……正面部
６４……背面部
６５……開口部
６６……鍔状部
７……蓋体
７１……中程部
７２……外周部
８……留め具（ファスナ）
８１……エレメント列
８２……スライダ
【図１】
2020096680.tif 000003
【図２】
2020096680.tif 000004
【図３】
2020096680.tif 000005
【図４】
2020096680.tif 000006
【図５】
2020096680.tif 000007
【図６】
2020096680.tif 000008
【図７】
2020096680.tif 000009
【図８】
2020096680.tif 000010
【図９】
2020096680.tif 000011
【図１０】
2020096680.tif 000012
【図１１】
2020096680.tif 000013
【図１２】
2020096680.tif 000014